(57)【特許請求の範囲】
【請求項１】
本体の上面に設けた誘導加熱により加熱される鍋を載置する天板と、前記天板の下部に設けた誘導加熱コイルと、前記誘導加熱コイルを制御する制御回路と、前記制御回路を冷却する冷却ファンと、前記本体の底面に設けた前記冷却ファンを囲う籠体を有する底板とを備え、前記籠体は、敷物が張り付くのを防ぐことのできる間隔で前記敷物を押さえつける複数の吸気ガイドを有し、前記複数の吸気ガイドは、前記籠体から前記本体の外周方向へ伸びて前記本体の側面から前記間隔を通して前記籠体の側面より吸気することを促進させる構成とした誘導加熱調理器。
【請求項２】
本体の上面に設けた誘導加熱により加熱される鍋を載置する天板と、前記天板の下部に設けた誘導加熱コイルと、前記誘導加熱コイルを制御する制御回路と、前記制御回路を冷却する冷却ファンと、前記本体の底面に設けた前記冷却ファンを囲う籠体を有する底板とを備え、前記籠体は側面より吸気する吸気ガイドを有し、前記吸気ガイドは渦巻き状とする構成とした誘導加熱調理器。
【請求項３】
本体の上面に設けた誘導加熱により加熱される鍋を載置する天板と、前記天板の下部に設けた誘導加熱コイルと、前記誘導加熱コイルを制御する制御回路と、前記制御回路を冷却する冷却ファンと、前記本体の底面に設けた前記冷却ファンを囲う籠体を有する底板とを備え、前記籠体は側面より吸気する吸気ガイドを有し、前記吸気ガイドにはその両側に貫通する複数の孔を設ける構成とした誘導加熱調理器。
【発明の詳細な説明】
【０００１】
【発明の属する技術分野】
本発明は、底面に設けた冷却ファンの吸気を本体の側面より行うための冷却ガイドを設けた誘導加熱調理器に関する。
【０００２】
【従来の技術】
図５は、従来のこの種の誘導加熱調理器の概略断面構成図である。
【０００３】
図５に示すように、本体１の天面に被加熱物の鍋を据え置くための天板２と、天板２の下部に設けた被加熱物を電磁誘導によって加熱するための誘導加熱コイル３と、電磁誘導を行うための制御回路４と、制御回路４を冷却するための冷却ファン５とを内部に有し、本体１の底面に設けた底板６には冷却ファン５を囲う籠体７を有する底板５が設けられている。
【０００４】
そして従来のこの種の誘導加熱調理器の構成では、籠体７と床面８との隙間はわずかであるのが一般的であった。
【０００５】
【発明が解決しようとする課題】
しかしながら、前記従来の構成では、本体底板６の籠体７部分と床面８との隙間が小さいことから、床面８に敷かれた敷物が籠体７からのファン吸気によって籠体７の底面または、側面に張り付いた場合、冷却ファン５による吸気効率が下がるため、本体内部が異常高温になりやすく、吸気遮蔽の程度によっては、本体内部にある制御回路４の熱的破壊が起きるという問題があった。
【０００６】
本発明は、前記従来の課題を解決するもので、冷却ファンの吸気を良くし、制御回路の冷却を促進させ、本体内部が異常高温になるのを防いだ誘導加熱調理器を提供することを目的とする。
【０００７】
【課題を解決するための手段】
前記従来の課題を解決するために、本発明の誘導加熱調理器は、誘導加熱コイルを制御する制御回路を冷却する冷却ファンと、本体の底面に設けた前記冷却ファンを囲う籠体を有する底板とを備え、前記籠体は、敷物が張り付くのを防ぐことのできる間隔で前記敷物を押さえつける複数の吸気ガイドを有し、前記複数の吸気ガイドは、前記籠体から前記本体の外周方向へ伸びて前記本体の側面から前記間隔を通して前記籠体の側面より吸気することを促進させる構成としたものである。
【０００８】
これにより、前記冷却ファンと床面との間隔が狭くても、籠体の側面より吸気ガイドを通して充分に吸気することができ、制御回路を充分に冷却できる。
【０００９】
【発明の実施の形態】
本発明の請求項１に記載の発明は、本体の上面に設けた誘導加熱により加熱される鍋を載置する天板と、前記天板の下部に設けた誘導加熱コイルと、前記誘導加熱コイルを制御する制御回路と、前記制御回路を冷却する冷却ファンと、前記本体の底面に設けた前記冷却ファンを囲う籠体を有する底板とを備え、前記籠体は、敷物が張り付くのを防ぐことのできる間隔で前記敷物を押さえつける複数の吸気ガイドを有し、前記複数の吸気ガイドは、前記籠体から前記本体の外周方向へ伸びて前記本体の側面から前記間隔を通して前記籠体の側面より吸気することを促進させる構成とした。
【００１０】
この構成によって、前記冷却ファンと床面との間隔が狭くても、籠体の側面より吸気ガイド間を通して充分に吸気することができ、制御回路を充分に冷却することができる。したがって、本体内部が高温になるのを防ぐことができる。
【００１１】
また、外周方向に伸びた吸気ガイドによって床面に敷かれた敷物を押さえつけ、籠体に敷物が張り付くのを防ぎ、籠体側面からの吸気を良くし、制御回路の冷却を促進し、本体内部が異常高温になるのを防ぐことができる。
【００１２】
請求項２に記載の発明は、特に、吸気ガイドを渦巻き状とする構成としたことにより、渦巻状の吸気ガイドによって床面に敷かれたしわのある敷物のしわを押さえつけてなくすため、しわによる吸気遮蔽を防ぎ、かつ、籠体に敷物が張り付くのを防ぐとともに、ファンの吸気の流れに沿ったリブで構成された吸気ガイドであるため、側面全面からの吸気を促進させる効果を得ることから、籠体側面からの吸気を良くし、制御回路の冷却を促進し、本体内部が異常高温になるのを防ぐことができる。
【００１３】
請求項３に記載の発明は、特に、吸気ガイドにその両側に貫通する複数の孔を設ける構成としたことにより、一部分に吸気遮蔽が生じた場合でも、吸気量を隣接ガイドの孔から補給することで吸気効率が低下するのを防ぐことができる。
【００１４】
【実施例】
以下本発明の実施例について図面を参照して説明する。なお、実施例の構成は従来例の構成と主要部分は同じであるので、同じ構成には同じ符号を付した。
【００１５】
（実施例１）
図１は、本発明の実施例１における同誘導加熱調理器の裏面図である。また、図２（ａ）は、同誘導加熱調理器の一部切欠き平面図、図２（ｂ）は同誘導加熱調理器の側面図である。
【００１６】
図２（ａ），（ｂ）において、被加熱物を据え置くための本体１に設けた天板２と、被加熱物を加熱するための誘導加熱コイル３と、制御回路４と制御回路４を冷却するための冷却ファン５と、冷却ファン５を囲う籠体９を有する底板６で構成されている。
【００１７】
本実施例では、図１に示すように、底板６に設けた冷却ファン５を囲う籠体９に本体１の外周方向に伸びる吸気ガイド１０を設けている。
【００１８】
この構成において、吸気ガイド１０が床面８に敷かれた敷物を押さえつけることで、籠体９に敷物が張り付くのを防ぐようにしている。したがって、吸気ガイド１０の間隔および数は敷物が籠体９に張り付かないように実験等により予め決める必要がある。このようにすることによって、側面からの吸気を促進させ、制御回路を冷却し、本体内部が異常高温になるのを防ぐ構成が得られる。
【００１９】
（参考例１）
図３は本発明の参考例１における誘導加熱調理器の要部裏面図である。
【００２０】
本参考例において実施例１と異なる点は、吸気ガイドとして籠体９に放射状の吸気ガイド１１を設けている点である。
【００２１】
この構成において、放射状の吸気ガイド１１が床面に敷かれた敷物を押さえつけ、籠体９に敷物が張り付くのを防ぐこと、かつ、放射状の吸気ガイド１１によって籠体９側面全面からの吸気を促進させる効果を得ることから、制御回路を冷却し、本体内部が異常高温になるのを防ぐという構成が得られる。
【００２２】
なお、吸気ガイド１１の間隔および数は実施例１と同様にして決めればよい。
【００２３】
（実施例２）
図４は本発明の実施例２における誘導加熱調理器の要部裏面図である。
【００２４】
本実施例において実施例１または参考例１と異なる点は、吸気ガイドとして籠体９に渦巻状の吸気ガイド１２を設けている点である。
【００２５】
この構成において、渦巻状の吸気ガイド１２が床面に敷かれたしわのある敷物のしわを押さえつけてなくすため、敷物のしわによる吸気遮蔽を防ぎ、かつ、籠体９の側面に敷物が張り付くのを防ぐと共に、ファン吸気の流れに沿ったリブで構成された渦巻状の吸気ガイド１２であるため、側面全面からの吸気を促進させる効果を得ることから、制御回路を冷却し、本体内部が異常高温になるのを防ぐとともに冷却効率を高めるという構成が得られる。
【００２６】
なお、吸気ガイド１２の間隔および数は実施例１と同様にして決めればよい。
【００２７】
（実施例３）
本実施例において実施例１、参考例１、実施例２と異なる点は、実施例１、参考例１実施例２の構成の吸気ガイドに複数の孔を設けた点である。
【００２８】
この構成において、吸気ガイドが床面に敷かれたしわのある敷物を押さえつけて、吸気遮蔽を防ぎ、かつ、籠体の側面に敷物が張り付くのを防ぐとともに、吸気ガイドに複数の孔を設けることによって、一部分吸気遮蔽が生じた際でも、吸気量を隣接ガイドの孔から吸入することで吸気効率を高めるという効果が得られる。
【００２９】
なお、本発明の吸気ガイドは線状体または板状体を用いる構成としているがこれに限定されるものではなく、両端に開口を有する長方形等の筒状体からなる吸気筒を吸気ガイドとしても良い。
【００３０】
また、籠体に吸気ガイドを設ける方法としては、籠体と吸気ガイドが一体であっても良いし、別々で組合わせて一体としても良い。
【００３１】
【発明の効果】
以上のように、請求項１ないし３の発明によれば、制御回路の冷却を促進させ、本体内部が異常高温になるのを防ぐことができる。
【図面の簡単な説明】
【図１】  本発明の実施例１における誘導加熱調理器の裏面図
【図２】  （ａ）同誘導加熱調理器の一部切欠き平面図
（ｂ）同誘導加熱調理器の側面図
【図３】  本発明の参考例１における誘導加熱調理器の要部裏面図
【図４】  本発明の実施例２における誘導加熱調理器の要部裏面図
【図５】  従来の誘導加熱調理器の概略断面構成図
【符号の説明】
１  本体
２  天板
３  誘導加熱コイル
４  制御回路
５  冷却ファン
６  底板
９  籠体
１０，１１，１２  吸気ガイド
【図１】
0003815196.tif 000002
【図２】
0003815196.tif 000003
【図３】
0003815196.tif 000004
【図４】
0003815196.tif 000005
【図５】
0003815196.tif 000006